(57)【特許請求の範囲】
【請求項１】
地盤改良工事又は浚渫工事を行う際、略横方向に延びた搬送管を備え、搬送管の内部に不溶性搬送物を入れて、不溶性搬送物を搬送管により搬送するようにした地盤改良工事又は浚渫工事における不溶性搬送物の搬送方法において、
不溶性搬送物を搬送管により搬送するとき、搬送管を所定の時間毎に回転し、搬送管の回転によって、搬送管の内部にて不溶性搬送物の一部が沈殿して堆積するのをなくしながら、不溶性搬送物を搬送管により搬送するとともに、所定の長さの搬送管を上流側から下流側に向かって複数本接続し、複数本の搬送管において、搬送管の回転を、下流側に備えた搬送管から上流側に備えた搬送管に向かって順番に行うようにしたことを特徴とする地盤改良工事又は浚渫工事における不溶性搬送物の搬送方法。
【請求項２】
搬送管の内部の不溶性搬送物に衝撃や振動等の力を外から加える外力作用手段を設け、搬送管を回転している途中又は回転した後、外力作用手段により搬送管の内部の不溶性搬送物に力を加えて、搬送管の内部に堆積する不溶性搬送物を取り除くようにしたことを特徴とする請求項１記載の地盤改良工事又は浚渫工事における不溶性搬送物の搬送方法。
【請求項３】
地盤改良工事又は浚渫工事を行う際、不溶性搬送物を内部に入れて不溶性搬送物を搬送するようになる略横方向に延びた搬送管を備えた地盤改良工事又は浚渫工事における不溶性搬送物の搬送装置において、
搬送管を回転させる回転機構部を設け、不溶性搬送物を搬送管により搬送するとき、回転機構部によって、搬送管を所定の時間毎に回転し、搬送管の内部にて不溶性搬送物の一部が沈殿して堆積するのをなくしながら、不溶性搬送物を搬送管により搬送するとともに、回転機構部によって回転する搬送管に、搬送管の回転位置がわかる識別用の印を設けたことを特徴とする地盤改良工事又は浚渫工事における不溶性搬送物の搬送装置。
【発明の詳細な説明】
【技術分野】
【０００１】
本発明は、地盤改良工事における地盤改良材や排泥、浚渫工事における浚渫土といった不溶性搬送物を搬送管により搬送するようにした地盤改良工事又は浚渫工事における不溶性搬送物の搬送方法及びその搬送装置に関する。
【背景技術】
【０００２】
従来、地盤改良工事にあっては、高圧噴射攪拌工法を用いて地盤を改良することが知られており、この高圧噴射攪拌工法は、地盤中に管ロッドを挿入し、この管ロッドの先端からセメントミルク等の地盤改良材を噴射する。そして、この地盤改良材の噴射エネルギーで地盤を切削しながら、噴射した地盤改良材と地盤とを混合攪拌し、これを管ロッドを引抜きながら上方に向かって行うことで、地盤中に固結改良体を造成するようにしたものである。
【０００３】
そして、この高圧噴射攪拌工法を行うためのプラントとしては、図１に示すように、地盤中に管ロッド１を挿入あるいは引き抜くための施工機械２を備える。この施工機械２は、自走可能な小型の杭打ち機やボーリングマシン等である。この施工機械２としては、マスト３を立設し、このマスト３に沿って管ロッド１を縦に向けて取り付けると共に、マスト３に管ロッド１を地盤中に挿入したり引き抜いたりする昇降装置と管ロッド１を回転させる回転装置をそれぞれ設ける。また、管ロッド１は、その内部に地盤改良材であるセメントミルクや圧縮空気等が通るようになる中空状の鋼管であり、その下端である先端に地盤改良材であるセメントミルクを噴射する噴射口を設けている。
【０００４】
また、施工機械２の周辺には、施工機械２に取り付けた管ロッド１に地盤改良材であるセメントミルクを供給する設備を備え、この設備としては、セメント原料を貯蔵するセメントサイロ４と、このセメントサイロ４からセメント原料を流入して水と混合して地盤改良材であるセメントミルクを生成するセメント生成装置５を設ける。そして、この下流側に、高圧ポンプ６を設けると共に、略横方向に延びた円筒状の搬送管７を備え、高圧ポンプ６によって、セメントミルクをセメント生成装置５から搬送管７を経て管ロッド１に供給するようにしている。なお、図示していないが、圧縮空気を供給するためのコンプレッサーや発電機といった機器も備えている。
【０００５】
また、施工機械２の管ロッド１にあっては、地盤改良材であるセメントミルクを噴射し、地盤を切削しながら、噴射したセメントミルクと地盤とを混合攪拌することから、切削されて余った地盤とセメントミルクが混ざって排泥として管ロッド１の周囲に地盤中から噴出するようになる。このため、施工機械２の管ロッド１の周囲には、地盤中から噴出する排泥を溜める排泥受槽１０を設けている。さらに、近傍の地盤が強固で安定した場所には、大量の排泥を溜めておくことのできる排泥タンク１１を設けている。そして、この排泥受槽１０から排泥タンク１１につながる略横方向に延びた円筒状の搬送管１２を備え、この搬送管１２は、その上流側の基端に圧送ポンプ１３を設け、この圧送ポンプ１３によって、排泥受槽１０に溜まった排泥を排泥タンク１１に搬送している。そして、排泥タンク１１に集まった排泥はバキューム車１４によって運び出すようにしている。
【０００６】
このような高圧噴射攪拌工法を用いた地盤改良工事にあって、セメント生成装置５から管ロッド１に供給する地盤改良材であるセメントミルク、あるいは地盤中から噴出して排泥受槽１０に溜まっている排泥といった不溶性搬送物において、これを搬送するための搬送方法としては、前述したように、略横方向に延びた搬送管７，１２を備え、この搬送管７，１２の内部に地盤改良材であるセメントミルクあるいは排泥といった不溶性搬送物を入れて、この不溶性搬送物を搬送管により搬送するようにしていた。
【発明の概要】
【発明が解決しようとする課題】
【０００７】
かかる従来の地盤改良材であるセメントミルクあるいは排泥といった不溶性搬送物の搬送方法にあっては、セメントサイロや混合生成装置、排泥タンク等を、地盤が強固で安定した場所に設置するようにしていたことから、ここにつながる搬送管としては、たとえば全長が１００ｍを超える非常に長い距離のものとなり、このため、一本の長さが１０ｍ程度の搬送管を複数本接続して使用していた。
【０００８】
そして、たとえば、不溶性搬送物である排泥を搬送する搬送管１２では、地盤とセメントミルクが混ざった排泥において、図２（ａ）に示すように、比重の重いものが沈殿していき、徐々に搬送管１２の内部に堆積し、図２（ｂ）に示すように、ここで固化して搬送管１２を閉塞し、排泥の搬送ができなくなることがあった。このため、搬送管１２が閉塞して排泥の搬送ができなくなると、作業を一旦中断し、すべての搬送管１２を取り外してその内部に固化して溜まった排泥を取り除いて洗浄する作業、あるいは新しい搬送管１２に交換する作業を行うようになり、これらの作業については、一日に何回か行うこともあった。
【０００９】
このように、地盤改良工事を行う際、一日に何回か作業を中断し、すべての搬送管を取り外してから、搬送管を洗浄する作業、あるいは新しい搬送管に交換する作業を行うといったことが必要になることから、その作業性が非常に悪いものとなり、これにより、地盤改良工事における工期が長くなると共に、その工費も高くなるといった問題があった。
【００１０】
そこで、本発明は、このような問題に鑑み、不溶性搬送物を搬送する搬送管において、搬送管の内部にて不溶性搬送物の一部が沈殿して堆積するのをなくし、不溶性搬送物を常に良好に搬送することができる地盤改良工事又は浚渫工事における不溶性搬送物の搬送方法及びその搬送装置を提供することを、その課題とする。
【課題を解決するための手段】
【００１１】
第一の発明は、地盤改良工事又は浚渫工事を行う際、略横方向に延びた搬送管を備え、搬送管の内部に不溶性搬送物を入れて、不溶性搬送物を搬送管により搬送するようにした地盤改良工事又は浚渫工事における不溶性搬送物の搬送方法において、不溶性搬送物を搬送管により搬送するとき、搬送管を所定の時間毎に回転し、搬送管の回転によって、搬送管の内部にて不溶性搬送物の一部が沈殿して堆積するのをなくしながら、不溶性搬送物を搬送管により搬送するとともに、所定の長さの搬送管を上流側から下流側に向かって複数本接続し、複数本の搬送管において、搬送管の回転を、下流側に備えた搬送管から上流側に備えた搬送管に向かって順番に行うようにした地盤改良工事又は浚渫工事における不溶性搬送物の搬送方法である。
【００１２】
第二の発明は、第一の発明において、搬送管の内部の不溶性搬送物に衝撃や振動等の力を外から加える外力作用手段を設け、搬送管を回転している途中又は回転した後、この外力作用手段により搬送管の内部の不溶性搬送物に力を加えて、搬送管の内部に堆積する不溶性搬送物を取り除くようにした地盤改良工事又は浚渫工事における不溶性搬送物の搬送方法である。
【００１４】
第三の発明は、地盤改良工事又は浚渫工事を行う際、不溶性搬送物を内部に入れて不溶性搬送物を搬送するようになる略横方向に延びた搬送管を備えた地盤改良工事又は浚渫工事における不溶性搬送物の搬送装置において、搬送管を回転させる回転機構部を設け、不溶性搬送物を搬送管により搬送するとき、回転機構部によって、搬送管を所定の時間毎に回転し、搬送管の内部にて不溶性搬送物の一部が沈殿して堆積するのをなくしながら、不溶性搬送物を搬送管により搬送するとともに、回転機構部によって回転する搬送管に、搬送管の回転位置がわかる識別用の印を設けた地盤改良工事又は浚渫工事における不溶性搬送物の搬送装置である。
【発明の効果】
【００１６】
本発明によれば、不溶性搬送物を搬送管により搬送するとき、搬送管を所定の時間毎に回転し、この搬送管の回転によって、搬送管の内部にて不溶性搬送物の一部が沈殿して堆積するのをなくしながら、不溶性搬送物を搬送管により搬送するようにしたことで、搬送管の内部において堆積した不溶性搬送物の一部が固化して搬送管を閉塞するといったことをなくし、不溶性搬送物を常に良好に搬送することができる。これにより、従来のような搬送管を洗浄する作業あるいは新しい搬送管に交換する作業を行うために地盤改良工事又は浚渫工事の作業を中断するといったことをなくすことができ、その作業性を良いものにすることにより、地盤改良工事又は浚渫工事における工期の短縮を図ることができると共に、その工費についても安価にすることができる。
【００１７】
また、搬送管の内部の不溶性搬送物に衝撃や振動等の力を外から加える外力作用手段を設け、搬送管を回転している途中又は回転した後、この外力作用手段により搬送管の内部の不溶性搬送物に力を加えて、搬送管の内部に堆積する不溶性搬送物を取り除くようにしたことで、搬送管の内部に堆積した不溶性搬送物を容易に取り除くことができ、搬送管における不溶性搬送物の搬送を極めて良好に行うことができる。
【００１８】
また、複数本の搬送管において、搬送管の回転を、下流側に備えた搬送管から上流側に備えた搬送管に向かって順番に行うようにしたことで、下流側を常に流れやすい状態にしておくことができ、これにより、複数本の搬送管にあっても、搬送管の内部に堆積した不溶性搬送物を下流側に良好に流すことができる。
【図面の簡単な説明】
【００１９】
【図１】地盤改良工事におけるプラントの全体説明図である。
【図２】（ａ）従来の搬送管の内部の状態を示す断面図である。（ｂ）従来の搬送管の内部の状態を示す断面図である。
【図３】本発明による不溶性搬送物の搬送装置における搬送管の説明図である。
【図４】本発明による不溶性搬送物の搬送装置における回転機構部の説明図である。
【図５】図４におけるＡ−Ａ拡大断面図である。
【図６】（ａ）本発明の搬送管の内部の状態を示す断面図である。（ｂ）本発明の搬送管の内部の状態を示す断面図である。（ｃ）本発明の搬送管の内部の状態を示す断面図である。
【図７】本発明による不溶性搬送物の搬送装置における他の回転機構部の説明図である。
【図８】本発明による不溶性搬送物の搬送装置における外力作用手段の一例を示す説明図である。
【発明を実施するための形態】
【００２０】
本発明の地盤改良工事又は浚渫工事における不溶性搬送物の搬送方法及びその搬送装置の第一の実施形態について説明する。ここで説明するものは、高圧噴射攪拌工法を用いた地盤改良工事において、地盤中から噴出した不溶性搬送物である排泥を搬送する搬送方法及びその搬送装置についてである。なお、不溶性搬送物とは、液体に溶けない性質を持つものであって、地盤改良工事においては地盤改良材であるセメントミルクや排泥であり、浚渫工事においては浚渫土である。
【００２１】
まず、高圧噴射攪拌工法を行うためのプラントとしては、従来と同様である。そして、このプラントにおいて、不溶性搬送物である排泥を搬送する搬送装置としては、まず、管ロッド１の周囲に設けた排泥受槽１０から排泥タンク１１まで排泥を搬送する搬送管１２を備えるが、この搬送管１２は、図３に示すように、直径が約７〜１５ｃｍで、一本の長さが１０ｍ程度の円筒状の搬送管１２を複数本、たとえば１０本接続して使用している。この複数本の搬送管１２にあっては、その上流側の基端に圧送ポンプ１３を設けると共に、ここを排泥受槽１０につなげ、また、その下流側を排泥タンク１１につなげることにより、排泥受槽１０から排泥タンク１１につながる略横方向に延びた複数本の搬送管１２を備えるようにする。
【００２２】
そして、この複数本の搬送管１２において、搬送管１２を回転させる回転機構部２０をそれぞれに設ける。この回転機構部２０としては、図４、図５に示すように、複数本の搬送管１２を、両側に回転自在となる回転部２１を有したスイベルジョイント２２を用いて接続することで、このスイベルジョイント２２の両側の回転部２１それぞれに接続した２本の搬送管１２が自由に回転できるようにする。なお、複数本の搬送管１２のうちのはしに位置する搬送管１２の端部においてもスイベルジョイント２２を用いることで、はしに位置する搬送管１２も自由に回転できるようにする。そして、各搬送管１２において、その両端それぞれの下方に回転支持台２３を設け、この回転支持台２３は、台本体２４と、この台本体２４の上部に設けた遊動回転自在となる２つのガイドローラ２５とからなり、２つのガイドローラ２５にて搬送管１２を下方より回転自在に支持したもので、この２つのガイドローラ２５によって搬送管１２を回転できるようにする。
【００２３】
そして、各搬送管１２の外周には、搬送管１２を回転するとき使用する突起状の嵌合ピン２６をそれぞれ設けており、この嵌合ピン２６に棒状の回転用工具２７を嵌め込むことができるようにする。なお、この突起状の嵌合ピン２６を、搬送管１２の外周ではなく、スイベルジョイント２２の回転部２１の外周に設けるようにしても良い。
【００２４】
また、搬送管１２等には、回転機構部２０によって搬送管１２が回転した際、搬送管の回転位置がわかるようにする識別用の印を設ける。この識別用の印としては、搬送管１２の外周に、あるいは搬送管１２を接続するスイベルジョイント２２の回転部２１の外周に、異なる色を付けるようにしたもので、たとえば、外周の半分に赤色を付け、残り半分に青色を付けたものである。また、この識別用の印としては、色を付ける代わりに、記号や文字等を付けるようにしても良く、たとえば、角度を表す数字である３０、６０、９０、１２０、これを３６０まで付けるようにして、回転する角度を示すようにしても良い。
【００２５】
このように、回転機構部２０にあっては、作業者が回転用工具２７を使用し、この回転用工具２７を搬送管１２の嵌合ピン２６に嵌め込み、嵌め込んだ後、作業者が手動にて回転用工具２７によって搬送管１２を回転できるようにしている。
【００２６】
このような搬送管１２を回転させる回転機構部２０を設けた不溶性搬送物の搬送装置において、その搬送方法としては、地盤改良工事において、不溶性搬送物である排泥を複数本の搬送管１２により搬送するとき、複数本の搬送管１２を所定の時間毎に回転し、この搬送管１２の回転によって、搬送管１２の内部にて排泥の一部が沈殿して堆積するのをなくしながら、排泥を搬送管１２により下流側の排泥タンク１１に搬送する。
【００２７】
これは、不溶性搬送物である排泥を搬送管１２により搬送するとき、回転機構部２０において、作業者が回転用工具２７を使用して手動にて、所定の時間毎、たとえば２０〜３０分毎に搬送管１２を回転させるようにする。このときの回転する角度は１８０度、すなわち、搬送管１２の上下を逆さまにするものである。なお、この回転する角度として、１８０度に限定されるものではなく、９０度や１２０度等の他の角度でも良いが、１８０度回転させたものの方が、搬送管１２の内部に堆積した排泥を容易に取り除くことができる。
【００２８】
そして、複数本の搬送管１２において、その回転を行う順番は、排泥タンク１１側となる下流側に備えた搬送管１２から排泥受槽１０側となる上流側に備えた搬送管１２に向かって順番に行う。このように下流側の搬送管１２から上流側の搬送管１２に向かって順番に搬送管１２の回転を行うことで、下流側を常に流れやすい状態にしておくことができ、これにより、複数本の搬送管１２にあっても、搬送管１２の内部に堆積した排泥を下流側に良好に流すことができる。ただし、複数本の搬送管１２において、必ずしも、搬送管１２の回転を順番に行う必要はなく、複数本の搬送管１２すべてにおいて、同時に回転を行うようにしても良い。
【００２９】
また、回転機構部２０における搬送管１２の回転については、所定の時間毎に回転を行うようにしているが、この所定の時間は、前述した２０〜３０分に限定されるものではなく、搬送管１２にて搬送する不溶性搬送物である排泥の土質や土性によって異なるものであり、たとえば１時間や２時間毎といったこともあり、さらには、地盤改良工事における地盤改良材であるセメントミルクや浚渫工事における浚渫土といった不溶性搬送物を搬送する場合も、この時間が異なるものである。よって、搬送する不溶性搬送物に応じて最適な時間となるように試験や実験等により予め決定しておくのが良い。
【００３０】
このようになる不溶性搬送物である排泥を搬送する搬送方法及びその搬送装置にあっては、不溶性搬送物である排泥を搬送管１２により搬送するとき、図６（ａ）に示すように、排泥の一部（比重の重いもの）が沈殿して搬送管１２の内部に堆積しても、搬送管１２を２０〜３０分毎に、作業者が手動にて搬送管１２を回転することにより、図６（ｂ）に示すように、搬送管１２の上下が逆さまになり、堆積した排泥を固化する前に落下させて取り除き、搬送管１２の内部に排泥の一部が沈殿して堆積するのをなくすことができる。これにより、図６（ｃ）に示すように、ここで堆積した排泥が固化して搬送管１２を閉塞するといったことがなくなり、搬送管１２において、排泥を常に良好に搬送することができるようになる。
【００３１】
また、前述した不溶性搬送物である排泥を搬送する搬送方法及びその搬送装置において、搬送管１２に外力作用手段を設ける。この外力作用手段としては、搬送管１２の内部の不溶性搬送物である排泥に衝撃や振動等の力を外から加えるものであって、たとえば、手動で行うものであれば、ハンマー等の打撃工具である。
【００３２】
そして、このような外力作用手段である打撃工具を作業者が使用し、搬送管１２を回転した後、この打撃工具にて搬送管の外側をたたき、搬送管１２の内部の排泥に外から衝撃を加えて、上下が逆さまになった搬送管１２の内部に堆積した排泥を落下させることで、排泥を取り除くようにする。
【００３３】
このように、搬送管１２を回転した後、作業者が打撃工具を使用して手動にて、搬送管１２の内部の排泥に衝撃を加えることで、搬送管１２の内部に堆積した排泥を打撃工具による衝撃の力で容易に落下させることができ、これにより、堆積した排泥を容易に取り除くことができ、搬送管１２における排泥の搬送を極めて良好に行うことができる。
【００３４】
また、外力作用手段としては、前述の打撃工具を使用して手動で行うものに限定されるものではなく、その他の手段にて搬送管１２に衝撃を加えるものでも良い。さらに、搬送管１２に衝撃を加えるもの以外に、搬送管１２に振動を加えるもの、あるいは搬送管１２の内部に圧縮空気を噴射して圧縮空気による衝撃を加えるものなどでも良い。この搬送管１２に振動を加えるものとしては、搬送管１２の下に設けた振動機であり、この振動機を使用して搬送管１２を振動させ、搬送管１２の内部の排泥に外から振動を加えるようにする。また、搬送管１２の内部に圧縮空気を噴射して圧縮空気による衝撃を加えるものとしては、たとえば、各搬送管１２を接続するスイベルジョイント２２の内部に噴射口を設け、ここから圧縮空気を噴射するといったエアー噴射装置であり、このエアー噴射装置を使用して搬送管１２の内部に圧縮空気を噴射し、搬送管１２の内部の排泥に圧縮空気による衝撃を加えるようにする。
【００３５】
なお、外力作用手段により搬送管１２の内部の不溶性搬送物である排泥に力を加えるときは、搬送管１２を回転した後に行っていたが、これを搬送管１２を回転している途中で行うようにしても良い。特に、振動機を用いた場合や圧縮空気を噴射する場合等は、搬送管１２を回転している途中で行うと、搬送管１２の内部に堆積した排泥を、より早く取り除くことができる。
【００３６】
次に、不溶性搬送物である排泥を搬送する搬送方法及びその搬送装置の第二の実施形態について説明する。
【００３７】
これは、前述の第一の実施形態で説明したものは、搬送管１２の回転を作業者が手動で行っていたが、これを自動で行うようにしたものである。図７に示すように、まず、各搬送管１２それぞれに設けた回転機構部２０において、回転支持台２３としては、台本体２４と、この台本体２４の上部に設けた回転自在となる２つの歯車２８とからなると共に、この２つの歯車２８に噛み合うリング状の歯車２９を搬送管１２の外周に設ける。そして、２つの歯車２８のどちらか一方にモータ３０を取り付ける。
【００３８】
また、各搬送管１２に設けた回転機構部２０のモータ３０については、図示していないコントローラによって制御するようにしており、所定の時間である２０〜３０分毎に作動して搬送管１２を１８０度回転させる。
【００３９】
そして、このときも、複数本の搬送管１２において、下流側に備えた搬送管１２から上流側に備えた搬送管１２に向かって順番に回転を行うように、コントローラによって制御する。
【００４０】
このように搬送管１２の回転を自動で行うようにしたことで、複数本の搬送管１２が５、６本程度であれば、作業者一人が手動で行っても、それほどの重労働にはならないものの、１０本さらにはそれ以上の本数になると、搬送管１２の回転を作業者が手動で行うのは、かなりの重労働となり、その作業効率も悪くなるが、搬送管１２の回転を自動で行うことから、これを極めて容易に行うことができ、作業効率の向上を図ることができる。
【００４１】
また、この第二の実施形態で説明した搬送管１２の回転を自動で行うようにしたものの別の例としては、前述のものでは、回転機構部２０において、回転支持台２３に２つの歯車２８を設けると共に、搬送管１２の外周にリング状の歯車２９を設けるようにしていたが、この代わりに、前述の第一の実施形態で説明したものと同様の２つのガイドローラ２５を設け、この２つのガイドローラ２５のどちらか一方にモータ３０を取り付けるようにしても良い。
【００４２】
さらに、ここに、搬送管１２に外力作用手段を設けるようにしても良い。このときの外力作用手段としては、たとえば、モータ３０を取り付けたガイドローラ２５を卵型カム形状にし、この卵型カム形状のガイドローラ２５にあっては、１回転（３６０度）すると、搬送管１２を１８０度回転させるようにする。これにより、図８に示すように、卵型カム形状のガイドローラ２５が１回転する間に、搬送管１２が卵型カム形状のガイドローラ２５により持ち上がり、そして落下するようになり、この落下するときに搬送管１２に衝撃が加わることで、搬送管１２の内部の排泥にも衝撃を加えることができ、搬送管１２の内部に堆積した排泥を容易に取り除くことができる。
【００４３】
なお、前述した第一又は第二の実施形態では、地盤改良工事における地盤中から噴出した排泥といった不溶性搬送物を搬送管１２により搬送する搬送方法及びその搬送装置であったが、この搬送する不溶性搬送物については、排泥に限定されるものではなく、地盤改良工事における管ロッド１に供給する地盤改良材であるセメントミルク、さらには、浚渫工事において発生する浚渫土等でも良く、すなわち、地盤改良工事における地盤改良材であるセメントミルク、浚渫工事における浚渫土といった不溶性搬送物を搬送管により搬送する搬送方法及びその搬送装置でも良い。
【符号の説明】
【００４４】
１…管ロッド、２…施工機械、３…マスト、４…セメントサイロ、５…セメント生成装置、６…高圧ポンプ、７…搬送管、１０…排泥受槽、１１…排泥タンク、１２…搬送管、１３…圧送ポンプ、１４…バキューム車、２０…回転機構部、２１…回転部、２２…スイベルジョイント、２３…回転支持台、２４…台本体、２５…ガイドローラ、２６…嵌合ピン、２７…回転用工具、２８…歯車、２９…歯車、３０…モータ
【図１】
0006472689.tif 000002
【図２】
0006472689.tif 000003
【図３】
0006472689.tif 000004
【図４】
0006472689.tif 000005
【図５】
0006472689.tif 000006
【図６】
0006472689.tif 000007
【図７】
0006472689.tif 000008
【図８】
0006472689.tif 000009